(57)【要約】【課題】従来の指圧器では、指圧器本体を接続可能な物体に固定しないとテコを利用した指圧が出来なかった。そのため本体を接続出来る物体がなければテコの機能をなさないので、どこでも気軽にテコを利用した指圧が出来ないという課題を有していた。【解決手段】  蝶番と掛け金を用いて接合し、Ｌ字を成した本体に２つの止めネジで固定した肘当てと、本体固定ベルトを取り付けたＬ字型本体Ｂと、長方形の本体Ａと、前記Ｌ字本体Ｂを前記長方形の本体Ａに連結し、前記Ｌ字型本体Ｂと前記長方形の本体Ａを回転可能にするために、それぞれ２本のボルトにより取り付けたＵボルトプレートと、前記長方形の本体Ａの概略中央部に取り付けた指圧突起止めにより固定された指圧突起と、長方形の本体Ａの前記Ｕボルトプレートを取り付けた一端とは逆の一端部に取り付け固定されたハンドストッパーとを備えたものである。【選択図】図１
2011139782.tif 000002
【特許請求の範囲】
【請求項１】
蝶番と掛け金を用いて接合し、Ｌ字を成した本体に２つの止めネジで固定した肘当てと、本体固定ベルトを取り付けたＬ字型本体Ｂと、長方形の本体Ａと、前記Ｌ字型本体Ｂを前記長方形の本体Ａに連結し、前記Ｌ字型本体Ｂと、前記長方形の本体Ａを回転可能にするために、それぞれ２本のボルトにより取り付けたＵボルトプレートと、前記長方形の本体Ａ概略中央部に取り付けた指圧突起止めにより固定された指圧突起と、長方形の本体Ａの前記Ｕボルトプレートを取り付けた一端とは逆の一端部に取り付け固定されたハンドストッパーとを備えた事を特徴とする指圧器。
【請求項２】
前記Ｌ字型本体Ｂの直角を成す外面を接合する着脱可能な掛け金を外し、内面を接合する蝶番を軸にＬ字型本体Ｂの平面体を内面垂直方向に折り畳み、また前記Ｌ字型本体Ｂと前記長方形の本体Ａを連結するＵボルトプレート部で、長方形の本体ＡをＬ字型本体Ｂの垂直外面に回旋することによりコンパクトに折り畳め、Ｌ字型本体Ｂの掛け金に隣接する平面体部に止めネジで固定した本体固定ベルトで纏めることで持ち運び、収納が容易に出来る機能を備えた事を特徴とする請求項１記載の指圧器。
【発明の詳細な説明】
【技術分野】
【０００１】
本発明は使用者自らの腕を固定具として利用し、テコの力で頚部や肩、背部を指圧するための指圧器に関するものである。
【背景技術】
【０００２】
従来からテコを利用して肩、背部を指圧する指圧器はよく知られており、各種の指圧器が提案されている。
【０００３】
従来の指圧器は、物体に縛り固定するもの（例えば、特許文献1参照。）、また、 柱や座椅子に固定するものとか（例えば、特許文献２参照。）、座板を設け支柱を取り付ける事でテコの機能をなすもの（例えば、特許文献３，特許文献４，特許文献５，特許文献６参照。）などがある。
【０００４】
以下、従来の指圧器について図４を用いて説明する。
【０００５】
指圧棒（Ｓ字形状）１５に、把手部１６と、弾性指圧部１７を取り付け、連結用バンド１８で、指圧棒１５と座板１９とを連結する。使用者は座板１９に座位し、弾性指圧部１７を肩凝り部に当て、テコの原理を応用し、把手部１６を下降せしめることによって、肩部指圧が容易に出来る指圧器である。
【０００６】
発明の効果としては、テコの原理を応用し、指圧棒の指圧部がＳ字形状になっていることから、確実に肩凝り部の局所をとらえ、使用者本人が指圧の強弱を調整しながら長時間、楽に指圧が出来る。よって、頑固な肩凝りを、たたいたり、もんだりしないことから筋肉を痛めず、わずかな力で楽に解消できる指圧器に関するものである。
【先行技術文献】
【特許文献】
【０００７】
【特許文献１】特開２００３−１３５５５８号公報
【特許文献２】特開７−２６５３７３号公報
【特許文献３】実開平６−８１５３５号公報
【特許文献４】実開平６−７４１４２号公報
【特許文献５】実開平１０−７９６号公報
【特許文献６】実開平８−３５４号公報
【発明の概要】
【発明が解決しようとする課題】
【０００８】
しかしながら、従来の指圧器では、指圧器本体を接続可能な物体に固定しないとテコを利用した指圧が出来なかった。そのため本体を接続出来る物体がなければテコの機能をなさないので、どこでも気楽にテコを利用した指圧が出来ないという課題を有していた。
【０００９】
また、座板に支柱を取り付けてテコの機能をなす発明は、どこかに置いて台座に座位、あるいは仰臥位で行うため、本体を置くある程度のスペースを必要としていた。
【課題を解決するための手段】
【００１０】
上記記載の課題を解決するために、本発明は、蝶番と掛け金を用いて接合し、Ｌ字を成した本体に２つの止めネジで固定した肘当てと、本体固定ベルトを取り付けたＬ字型本体Ｂと、長方形の本体Ａと、前記Ｌ字型本体Ｂを前記長方形の本体Ａに連結し、前記Ｌ字型本体Ｂと前記長方形の本体Ａを回転可能にするために、それぞれ２本のボルトにより取り付けたＵボルトプレートと、前記長方形の本体Ａの概略中央部に取り付けた指圧突起止めにより固定された指圧突起と、長方形の本体Ａの前記Ｕボルトプレートを取り付けた一端とは逆の一端部に取り付け固定されたハンドストッパーとを備えたものである。
【００１１】
また、前記Ｌ字型本体Ｂの直角を成す外面を接合する着脱可能な掛け金を外し、内面を接続する蝶番を軸に前記Ｌ字型本体Ｂの平面体を内面垂直体方向に折り畳み、また前記Ｌ字型本体Ｂと前記長方形の本体Ａを連結するＵボルトプレート部で、長方形の本体ＡをＬ字型本体Ｂの垂直外面に回旋することによりコンパクトに折り畳め、Ｌ字型本体Ｂの掛け金に隣接する平面体部に止めネジで固定した本体固定ベルトで纏めることで持ち運び、収納が容易に出来る機能を備えた事を特徴とする請求項１記載の指圧器。
【発明の効果】
【００１２】
以上のように、本考案は、Ｌ字型本体Ｂに肘当てを取り付けた機能構成で、肘当てに腕を通して肘を固定することで、本体を接続可能な物体に接続した時と変わらない効果が得られる。そのため、場所を選ばず、どこでも気楽にテコを利用した指圧が行えるようになる。
【００１３】
また、立ったままでも歩きながらでもテコを利用した指圧が行えるので、ある程度のスペースを確保しなくてもテコを利用した指圧が行える。
【００１４】
その上、本体を接続する物体の代わりが肘なので、肘当てに固定した肘部分の角度を調整することで、肩だけでなく、頚部、背部、上腕に至るまでテコを利用した指圧が容易にできるという効果が得られるものである。
【００１５】
さらに、折り畳みが出来るようにしたことで、コンパクトに纏まり、バックなどに収まりやすく、持ち運びの不自由や収納の不便さを取り除けるよう工夫した従来にない優れた機能を奏するものである。
【図面の簡単な説明】
【００１６】
【図１】本発明に係わるテコを利用した指圧器の全体斜視図
【図２】本発明の取り扱い実施例
【図３】本発明の指圧器を折り畳んだ場合の全体側面図
【図４】従来の指圧器の全体斜視図
【発明を実施するための形態】
【００１７】
以下、図面を参照して本発明の実施の形態に係るテコを利用した指圧器について説明する。尚、各図において、同一部分には同一符号を付している。
【００１８】
図１は本発明の実施の形態に係る指圧器の概略を表す全体斜視図である。
【００１９】
図２は本発明のテコを利用した指圧器の取り扱い実施例を表す図である。
まず、長方形の本体Ａ３を指圧したい側の肩上で担ぐような格好で構える。
このとき、長方形の本体Ａ３を担いだ側の手掌をハンドストッパー１に沿わすように長方形の本体Ａ３を把持する。
更に、長方形の本体Ａ３の概略中央部に固定した指圧突起１２を指圧したい局部に当てる。
【００２０】
次にＬ字型本体Ｂ７の垂直体が指圧器使用者の背部に来るようにし、Ｌ字型本体Ｂ７の平面体を、指圧したい局部側と対称の上腕の内側、すなわち腋か部で挟み込むようにし、その腕を肘当て９にＬ字型本体Ｂ７の平面体の外側から体幹部方向、すなわち内側に通し肘を固定する。
【００２１】
これにより肘を固定した肘当て９部が、本体を接続可能な物体に固定した場合と同等の役割を果たし、Ｕボルトプレート５を軸に、長方形の本体Ａ３に取り付けたハンドストッパー１に沿わすように長方形の本体Ａ３を把持した手掌を下降することで、テコを利用した指圧が行える。
【００２２】
また、本体を接続する物体の代わりを成している肘当て９に固定された肘の角度を調整することで、指圧突起１２の場所を変えられるので、肩以外にも、頚部や背部もテコの力で指圧することが出来る。
【００２３】
図３は本発明の指圧器を折り畳んだ場合の全体側面図を表す。
折り畳む方法として、Ｌ字型本体Ｂ７の直角を成す外面を接合する着脱可能な掛け金１４を外し、内面を接合する蝶番１３を軸にＬ字型本体Ｂ７の平面体を垂直体内面方向に折り畳む。
【００２４】
さらに、Ｌ字型本体Ｂ７と長方形の本体Ａ３を連結するＵボルトプレート５部で、長方形の本体Ａ３をＬ字型本体Ｂ７の垂直体外面に回旋することにより、長方形の本体Ａ３とＬ字型本体Ｂ７を合わせた本体全体をコンパクトに折り畳める。
【００２５】
また、Ｌ字型本体Ｂ７の掛け金１４に隣接する平面体部に止めネジ１１で固定した本体固定ベルト１０で本体全体をコンパクトに纏めることが出来る。
これにより、持ち運び、収納が容易に出来るようにした。
【００２６】
図４は従来の指圧器に関する全体斜視図である。
これは、指圧棒（Ｓ字形状）１５に、把手部１６と弾性指圧部１７を取り付け、連結用バンド１８で、指圧棒１５と座板１９とを連結する。
使用者は座板１９に座位し、弾性指圧部１７を肩凝り部に当て、テコの原理を応用し、把手部１６を下降せしめることによって、肩部指圧が容易に出来る機能を備えた指圧器である。
【００２７】
図１において、１はハンドストッパーで、長方形の本体Ａ３にボルト２で固定されている。指圧する際、この部に手を沿わすように長方形の本体Ａ３を把持することで、より握力を使わずに高い指圧効果が得られるよう工夫した。
【００２８】
４は、指圧突起１２を強く固定する為に設けた指圧突起止めである。
これにより、指圧突起１２が指圧の際、横ぶれして力が左右に逃げるのを防ぐ。
【００２９】
５はＵボルトプレートで、２本のボルト６で固定し、長方形の本体Ａ３とＬ字型本体Ｂ７を連結する。これにより指圧の際、この部分が軸となり、長方形の本体Ａ３を上下に動かせるので、テコの機能を成す。
【００３０】
また、前記Ｕボルトプレート５により回旋可能になるので、長方形の本体Ａ３をＬ字型本体Ｂ７の垂直体の外面に回旋し、さらに掛け金１４を外すと、Ｌ字型本体Ｂ７の平面体を、蝶番を軸にＬ字型の垂直体内面方向に折り畳める。その状態で、Ｌ字型本体Ｂ７の平面体の掛け金１４と隣接する外側に止めネジ１１で固定した本体固定ベルト１０で纏めることで、本体全体をコンパクトに出来る。
【００３１】
９は肘当てで、２つの止めネジ８でＬ字型本体Ｂ７の平面体の先端中央部と平面体の外面中央部に固定する。
この部に腕を通し、肘を置き固定することで、本体を接続可能な物体に固定した状態と同じ効果が得られ、場所を選ばずどこでもテコを利用した指圧が出来る。
【符号の説明】
【００３２】
１  ハンドストッパー
２  ボルト
３  長方形の本体Ａ
４  指圧突起止め
５  Ｕボルトプレート
６  ボルト
７  Ｌ字型本体Ｂ
８  止めネジ
９  肘当て
１０  本体固定ベルト
１１  止めネジ
１２  指圧突起
１３  蝶番
１４  掛け金
１５  指圧棒
１６  把手部
１７  弾性指圧部
１８  連結用バンド
１９  座板
【図１】
2011139782.tif 000003
【図２】
2011139782.tif 000004
【図３】
2011139782.tif 000005
【図４】
2011139782.tif 000006